(57)【要約】      （修正有）【課題】意匠性を損なうことなく、気密材が早期に劣化する事態を防止する。【解決手段】上下方向に沿って並設した複数のスラット３０を備え、それぞれのスラット３０が横向き姿勢に配置された場合に上下のスラット３０の間に隙間を確保することが可能となる一方、それぞれのスラット３０が縦向き姿勢に配置された場合に気密材４０を介して上下のスラット３０が互いに接触される外部ブラインド装置であって、スラット３０には、横向き姿勢に配置された場合に室外側となる縁部に下方に向けて突出する下縁構成部分３０ｂが設けられ、かつ横向き姿勢において下縁構成部分３０ｂの最下端よりも上方となる位置から室内に向けて気密材４０が突出されている。【選択図】図４
2018059341.tif 000002
【特許請求の範囲】
【請求項１】
上下方向に沿って並設した複数のスラットを備え、それぞれのスラットが横向き姿勢に配置された場合に上下のスラットの間に隙間を確保することが可能となる一方、それぞれのスラットが縦向き姿勢に配置された場合に気密材を介して上下のスラットが互いに接触される外部ブラインド装置であって、
前記スラットには、横向き姿勢に配置された場合に室外側となる縁部に下方に向けて突出する下縁構成部分が設けられ、前記下縁構成部分の最下端よりも上方となる位置から室内に向けて前記気密材が延在されていることを特徴とする外部ブラインド装置。
【請求項２】
前記下縁構成部分には、前記スラットが横向き姿勢に配置された場合に下方に向けて開口する収容溝が設けられ、前記収容溝には、開口から下方に向けて突出した後、室内に向けて屈曲するように前記気密材が延在され、前記収容溝の開口よりも室外側となる部位には、前記気密材の下端よりも下方に突出する突出片が設けられていることを特徴とする請求項１に記載の外部ブラインド装置。
【請求項３】
前記スラットは、相互間隔が変更できるように支持されており、
前記下縁構成部分は、前記スラットが前記横向き姿勢に配置された場合に下方に向けて漸次室外側となるように傾斜して設けられ、
前記収容溝の開口は、前記下縁構成部分の上端に対応した位置に設けられていることを特徴とする請求項２に記載の外部ブラインド装置。
【請求項４】
前記下縁構成部分には、前記スラットが前記横向き姿勢に配置された場合に室内に向けて開口する収容溝が設けられ、前記収容溝には、開口から室内に向けて延在するように前記気密材が配設されていることを特徴とする請求項１に記載の外部ブラインド装置。
【請求項５】
前記スラットには、前記横向き姿勢に配置された場合に室内側となる縁部に、前記下縁構成部分よりも下方に突出した後、上方に向けて延在する上縁構成部分が設けてあることを特徴とする請求項１に記載の外部ブラインド装置。
【請求項６】
前記上縁構成部分には、前記スラットが前記縦向き姿勢に配置された場合に下方に配置されたスラットの気密材に対して室内側から当接するように当接条片が設けられていることを特徴とする請求項５に記載の外部ブラインド装置。
【発明の詳細な説明】
【技術分野】
【０００１】
本発明は、上下方向に沿って並設した複数のスラットを備え、障子よりも室外側に配設される外部ブラインド装置に関するものである。
【背景技術】
【０００２】
この種の外部ブラインド装置としては、縦向き姿勢に配置されたスラットの相互間の気密性を確保するため、気密材を介してスラットを互いに接触させるようにしている。気密材は、樹脂によって成形された弾性部材であり、直接太陽光が照射する位置に設けられていると紫外線の影響によって早期に劣化しやすい。このため従来では、横向き姿勢となったスラットの室内側となる縁部上面に気密材を配設し、上述の問題を解決するようにしたものも提供されている（例えば、特許文献１参照）。
【先行技術文献】
【特許文献】
【０００３】
【特許文献１】特開２００１−１２１６３号公報
【発明の概要】
【発明が解決しようとする課題】
【０００４】
しかしながら、上述の外部ブラインド装置では、スラットが縦向き姿勢となった場合に気密材の一部が室外側に露出するため、意匠性を考慮した場合、必ずしも好ましいとはいえない。
【０００５】
本発明は、上記実情に鑑みて、意匠性を損なうことなく、気密材が早期に劣化する事態を防止することのできる外部ブラインド装置を提供することを目的とする。
【課題を解決するための手段】
【０００６】
上記目的を達成するため、本発明に係る外部ブラインド装置は、上下方向に沿って並設した複数のスラットを備え、それぞれのスラットが横向き姿勢に配置された場合に上下のスラットの間に隙間を確保することが可能となる一方、それぞれのスラットが縦向き姿勢に配置された場合に気密材を介して上下のスラットが互いに接触される外部ブラインド装置であって、前記スラットには、横向き姿勢に配置された場合に室外側となる縁部に下方に向けて突出する下縁構成部分が設けられ、前記下縁構成部分の最下端よりも上方となる位置から室内に向けて前記気密材が延在されていることを特徴とする。
【０００７】
この発明によれば、スラットが横向き姿勢及び縦向き姿勢のいずれに配置された場合であっても気密材よりも室外側に下縁構成部分が位置するため、気密材が室外側に露出することがなく、外部ブラインド装置の意匠性が損なわれたり、気密材が早期に劣化する事態を招来するおそれがない。
【０００８】
また本発明は、上述した外部ブラインド装置において、前記下縁構成部分には、前記スラットが横向き姿勢に配置された場合に下方に向けて開口する収容溝が設けられ、前記収容溝には、開口から下方に向けて突出した後、室内に向けて屈曲するように前記気密材が延在され、前記収容溝の開口よりも室外側となる部位には、前記気密材の下端よりも下方に突出する突出片が設けられていることを特徴とする。
【０００９】
この発明によれば、スラットが横向き姿勢に配置された場合に収容溝が下方に向けて開口するため、収容溝に対して気密材を装着する作業を容易に行うことができる。
【００１０】
また本発明は、上述した外部ブラインド装置において、前記スラットは、相互間隔が変更できるように支持されており、前記下縁構成部分は、前記スラットが前記横向き姿勢に配置された場合に下方に向けて漸次室外側となるように傾斜して設けられ、前記収容溝の開口は、前記下縁構成部分の上端に対応した位置に設けられていることを特徴とする。
【００１１】
この発明によれば、スラットが横向き姿勢に配置された状態で相互に積層された場合にスラットの相互間に気密材が介在することになり、打音が発生する事態を防止することができる。
【００１２】
また本発明は、上述した外部ブラインド装置において、前記下縁構成部分には、前記スラットが前記横向き姿勢に配置された場合に室内に向けて開口する収容溝が設けられ、前記収容溝には、開口から室内に向けて延在するように前記気密材が配設されていることを特徴とする。
【００１３】
この発明によれば、スラットが横向き姿勢に配置された場合に収容溝が室内に向けて開口するため、気密材としては室内に向けて延在した単純形状のものを適用することができる。
【００１４】
また本発明は、上述した外部ブラインド装置において、前記スラットには、前記横向き姿勢に配置された場合に室内側となる縁部に、前記下縁構成部分よりも下方に突出した後、上方に向けて延在する上縁構成部分が設けてあることを特徴とする。
【００１５】
この発明によれば、スラットが横向き姿勢に配置された場合に上縁構成部分が気密材よりも下方に配置されるため、気密材が室内側に露出することがなく、室内側からの意匠性が損なわれるおそれがない。
【００１６】
また本発明は、上述した外部ブラインド装置において、前記上縁構成部分には、前記スラットが前記縦向き姿勢に配置された場合に下方に配置されたスラットの気密材に対して室内側から当接するように当接条片が設けられていることを特徴とする。
【００１７】
この発明によれば、スラットが縦向き姿勢に配置された場合に上方に向けて延在する気密材に対して室内側から当接条片が当接するため、スラットと気密材との接触面積を多く確保することができるようになる。
【発明の効果】
【００１８】
本発明によれば、スラットが横向き姿勢及び縦向き姿勢のいずれに配置された場合であっても気密材よりも室外側に下縁構成部分が位置するため、気密材が室外側に露出することがなく、外部ブラインド装置の意匠性が損なわれたり、気密材が早期に劣化する事態を招来するおそれがない。
【図面の簡単な説明】
【００１９】
【図１】図１は、本発明の実施の形態である外部ブラインド装置を備えた建具の縦断面図である。
【図２】図２は、図１に示した建具の要部を拡大した横断面図である。
【図３】図３は、図１に示した建具の外部ブラインド装置に適用するスラットが横向き姿勢にある状態を示すもので、（ａ）は断面図、（ｂ）は要部を分解した拡大図である。
【図４】図４は、図３に示したスラットを適用する外部ブラインド装置の動作を概念的に示すもので、（ａ）は横向き姿勢で互いに積層した状態の図、（ｂ）は横向き姿勢で互いの間に隙間を確保した状態の図、（ｃ）は軸ピンを中心として回転させた状態の図、（ｄ）は縦向き姿勢となった状態の図である。
【図５】図５は、スラットの変形例を示したもので、（ａ）は横向き姿勢の断面図、（ｂ）は要部を分解した拡大図である。
【図６】図６は、図５に示したスラットを適用する外部ブラインド装置の動作を概念的に示すもので、（ａ）は横向き姿勢で互いに積層した状態の図、（ｂ）は横向き姿勢で互いの間に隙間を確保した状態の図、（ｃ）は軸ピンを中心として回転させた状態の図、（ｄ）は縦向き姿勢となった状態の図である。
【発明を実施するための形態】
【００２０】
以下、添付図面を参照しながら本発明に係る外部ブラインド装置の好適な実施の形態について詳細に説明する。
図１及び図２は、本発明の実施の形態である外部ブラインド装置を備えた建具を示したものである。ここで例示する建具は、家屋の外壁Ｂ及び躯体に設けられた開口部Ｓを開閉する窓装置１０と、窓装置１０よりも室外側となる部位に設けた外部ブラインド装置２０とを備えて構成したものである。なお、本実施の形態の建具では、左右が互いに対称となるように構成してあるため、図２の横断面図においては一方のみが示してある。
【００２１】
窓装置１０としては、図には明示していないが、例えば窓枠体１１に対して２枚の障子を左右方向にスライド可能に支持した引き違い窓と称されるものを適用している。窓枠体１１は、上窓枠１１Ａ、下窓枠１１Ｂ及び左右の縦窓枠１１Ｃを四周枠組みすることによって構成したものである。窓枠体１１を構成するそれぞれの窓枠１１Ａ，１１Ｂ，１１Ｃは、アルミニウム合金等の金属、あるいは樹脂によって成形した押し出し形材であり、長手方向の全長にわたってほぼ一様な断面形状を有している。図示していない２枚の障子は、上窓枠１１Ａに設けたガイドレール１１Ａａと、下窓枠１１Ｂに設けたガイドレール１１Ｂａとの間にそれぞれスライド可能に配設されることになる。なお、適用する窓装置１０としては、必ずしも引き違い窓に限られるものではなく、嵌め殺し窓やすべり出し窓等々、その他のものであっても良い。
【００２２】
以下、本発明の特徴部分となる外部ブラインド装置２０について詳述する。この説明においては便宜上、見込み方向及び見付け方向等の用語を用いる。見込み方向とは、図中の矢印Ａで示すように、建具の奥行きに沿った方向である。見込み方向に沿った面については、見込み面と称する場合がある。見付け方向とは、上窓枠１１Ａや下窓枠１１Ｂ等のように水平に沿った部材の場合、見込み方向に直交した上下に沿う方向であり、縦窓枠１１Ｃ等のように上下に沿った部材の場合、見込み方向に直交した水平に沿う方向である。見付け方向に沿った平面については、見付け面と称する場合がある。
【００２３】
外部ブラインド装置２０は、枠体２１、左右のレール部材２２、ブラインド部２３及び駆動機構部２４を備えて構成してある。枠体２１は、左右の縦枠２１Ａの相互間に上方から順次上枠２１Ｂ、中間枠２１Ｃ及び下枠２１Ｄを架け渡すように連結することによって構成したものである。図１からも明らかなように、枠体２１の中間枠２１Ｃ及び上枠２１Ｂは、窓枠体１１の上窓枠１１Ａよりも上方となる位置に配置してあり、枠体２１の下枠２１Ｄは、窓枠体１１の下窓枠１１Ｂよりも下方となる位置に配置してある。また枠体２１の縦枠２１Ａは、窓枠体１１の縦窓枠１１Ｃよりも外周側に配置してある。家屋の外壁Ｂからの枠体２１の突出寸法は、窓枠体１１の各窓枠１１Ａ，１１Ｂ，１１Ｃよりも大きく設定してある。すなわち、外部ブラインド装置２０の枠体２１は、中間枠２１Ｃ、左右の縦枠２１Ａ及び下枠２１Ｄによって窓枠体１１を取り囲むように家屋の外壁Ｂに取り付けてある。
【００２４】
左右のレール部材２２は、それぞれ角筒状を成し、一方の側壁に長手方向に沿ったガイドスロット２２ａを有したものである。これらのレール部材２２は、ガイドスロット２２ａがそれぞれ上下に沿い、かつ互いに対向した状態で縦枠２１Ａの室外に臨む見付け面に取り付けてある。図２からも明らかなように、レール部材２２の相互間隔は、左右の縦窓枠１１Ｃの相互間隔よりもわずかに小さく設定してある。
【００２５】
ブラインド部２３は、複数のスラット３０を上下方向に沿って並設することにより構成したもので、左右のレール部材２２の間に配設してある。それぞれのスラット３０の両端部には、補強部材３１及び軸ピン３２を介して操作部材３３が取り付けてある。操作部材３３は、ガイドスロット２２ａを介してレール部材２２の内部に配設してあり、軸ピン３２を中心として回転することが可能であるとともに、軸ピン３２に対して回転可能に外装するスライドガイド３４によりガイドスロット２２ａに沿って上下に移動することが可能である。
【００２６】
より具体的に説明すると、図には明示していないが、上下に位置する操作部材３３は、例えば軸ピン３２を挟んで両側となる部位が、それぞれ可撓性を有した２本の連結ベルト（不図示）によって互いに連結してある。２本の連結ベルト（不図示）は、同じ長さを有するものであり、上下に位置する操作部材３３の相互間隔を規定するもの、換言すれば上下に位置するスラット３０の相互間隔を規定するものである。それぞれのスラット３０が後述の横向き姿勢に配置された状態で、軸ピン３２を中心に最上位のスラット３０を回転させると、一方の連結ベルト（不図示）が上方に移動する一方、もう一方の連結ベルト（不図示）が下方に移動することになる。この結果、２番目以降に配置されたすべてのスラット３０が最上位のスラット３０に連動して同じ方向に同じ角度だけ回転することになる。
【００２７】
また、最下位に位置するスラット３０には、操作部材３３を介して昇降チェーン（不図示）が接続してある。昇降チェーン（不図示）を介して最下位のスラット３０を上方に移動させた場合には、連結ベルト（不図示）が適宜撓むことによって下から２番目に位置するスラット３０に当接し、最下位のスラット３０と下から２番目のスラット３０とが上方に移動する。以降、下方に位置するスラット３０から順次上方に移動し、すべてのスラット３０を上方に移動させることが可能となる。この状態から最下位のスラット３０を下方に移動させると、連結ベルト（不図示）が伸びきった時点で最上位のスラット３０が停止し、上方から２番目以降のスラット３０のみが下方への移動を継続する。以降、上方に位置するスラット３０から順次下方への移動を停止し、最終的にすべてのスラット３０が等間隔に配置された状態となる。なお、上述したスラット３０の回転及び上下移動に関する構成は、例示のために記載したものであり、必ずしもこれに限定されるものではない。
【００２８】
駆動機構部２４は、電動モータの駆動により昇降チェーン（不図示）及び最上位のスラット３０を動作させ、操作部材３３を介してスラット３０の回転姿勢及び上下位置を制御するものである。この駆動機構部２４は、レール部材２２の上端よりも上方に設けた収容部２５に配設してある。収容部２５は、レール部材２２の上端部間にカバー部材２６、第１遮蔽部材２７及び第２遮蔽部材２８を配設することによって構成したものである。カバー部材２６は、上枠２１Ｂの室外側に位置する縁部から室外に向けて漸次下方となるように延在する上板部２６ａと、上板部２６ａの延在端縁部から下方に向けて延在した前板部２６ｂとを有したものである。このカバー部材２６は、前板部２６ｂがレール部材２２の室外に臨む見付け面を覆う状態で取り付けてある。前板部２６ｂの室内に臨む見付け面には、レール部材２２の上端に対応する部位から室内に設けてほぼ水平に延在するように仕切ヒレ部２６ｃが突設してある。第１遮蔽部材２７は、レール部材２２の上端部間にほぼ水平となるように延在する底板部２７ａと、底板部２７ａの室内側に位置する縁部から下方に向けて延在した上部遮蔽板部２７ｂとを有したものである。この第１遮蔽部材２７は、底板部２７ａが仕切ヒレ部２６ｃの延長上に位置し、かつ上部遮蔽板部２７ｂがブラインド部２３と窓装置１０との間に位置した状態で取り付けてある。第２遮蔽部材２８は、上部遮蔽板部２７ｂの下端から下方に向けて延在した板状部材である。第２遮蔽部材２８の下端縁部は、中間枠２１Ｃの室外側に位置する縁部に近接して配置されている。
【００２９】
図３は、上述したブラインド部２３に適用するスラット３０を示したものである。スラット３０は、アルミニウム合金等の金属、あるいは樹脂によって成形した押し出し形材であり、長手方向の全長にわたってほぼ一様な断面形状を有している。本実施の形態では、主板部３０ａ、下縁構成部分３０ｂ及び上縁構成部分３０ｃを一体に成形したスラット３０を例示している。なお、以下に説明するスラット３０の構成については便宜上、図３に示すように、主板部３０ａが水平に沿い、かつ下縁構成部分３０ｂ及び上縁構成部分３０ｃが主板部３０ａからそれぞれ下方に突出する姿勢（以下、横向き姿勢という）を基準として上下左右の方向を規定することとする。
【００３０】
主板部３０ａは、レール部材２２の相互間に配置することのできる長手寸法を有し、かつレール部材２２の見込み方向に沿った寸法よりも小さい幅の矩形状を成す部分である。下縁構成部分３０ｂは、主板部３０ａの短手において左側に位置する縁部から下方に向けて漸次左方となるように傾斜延在したもので、収容溝３０ｄ及び突出片３０ｅを有している。収容溝３０ｄは、周壁の一部が開口した円筒状部材３０ｆを室内側に位置する部分に設けることによって構成したものである。図３の（ｂ）に示すように、本実施の形態では、主板部３０ａと下縁構成部分３０ｂとの稜線３０ｇとなる部分の下方において鉛直下方に開口するように収容溝３０ｄが構成してある。この収容溝３０ｄには、全長にわたって気密材４０が装着してある。
【００３１】
気密材４０は、装着部４０ａ、支持ヒレ部４０ｂ及び当接ヒレ部４０ｃを有したもので、樹脂によって一体に成形してある。装着部４０ａは、収容溝３０ｄの内部に装着される部分であり、収容溝３０ｄの開口よりも大きく、収容溝３０ｄの内径よりもわずかに小さい外径を有した円柱状に構成してある。支持ヒレ部４０ｂは、装着部４０ａの周面から径方向に沿って突出した部分であり、突出端縁部が収容溝３０ｄから外部に突出している。当接ヒレ部４０ｃは、支持ヒレ部４０ｂの突出端縁部から、図３において右側に向けて、ほぼ直角に屈曲して延在する部分であり、先端に向けて漸次板厚が小さくなるように構成してある。本実施の形態ではいわゆる二色成形を適用し、比較的硬質の樹脂によって装着部４０ａ及び支持ヒレ部４０ｂが成形してある一方、比較的軟質の樹脂によって当接ヒレ部４０ｃが成形してある。
【００３２】
スラット３０の突出片３０ｅは、円筒状部材３０ｆにおいて収容溝３０ｄの開口よりも左側となる部分から鉛直下方に向けて突出したものである。図３の（ａ）に示すように、突出片３０ｅの下端縁部は、収容溝３０ｄに装着した気密材４０の当接ヒレ部４０ｃよりも下方に突出しており、スラット３０を左側からほぼ水平に見た場合に気密材４０において収容溝３０ｄから突出した部分のすべてを覆い隠すことが可能である。
【００３３】
上縁構成部分３０ｃは、主板部３０ａの短手において右側に位置する縁部に設けたもので、第１傾斜板部３０ｃ１、水平板部３０ｃ２及び第２傾斜板部３０ｃ３を有している。第１傾斜板部３０ｃ１は、主板部３０ａの下方に向けて漸次右方となるように傾斜延在した部分である。水平板部３０ｃ２は、第１傾斜板部３０ｃ１の下端縁部から右側に向けてほぼ水平に延在した部分である。第２傾斜板部３０ｃ３は、水平板部３０ｃ２の延在端縁部から上方に向けて漸次右方となるように傾斜した部分である。図からも明らかなように、第２傾斜板部３０ｃ３は、収容溝３０ｄの開口よりも上方まで延在しており、上方に臨む表面の上端部に当接条片３０ｈを有している。当接条片３０ｈは、左側に向けてほぼ水平に延在した部分である。図３の（ａ）に示すように、この上縁構成部分３０ｃは、スラット３０が横向き姿勢に配置された場合に下縁構成部分３０ｂに対して上縁構成部分３０ｃが大きく下方に突出しており、スラット３０を右側からほぼ水平に見た場合に下縁構成部分３０ｂ及び気密材４０のすべてを覆い隠すことが可能である。
【００３４】
上記のように構成したスラット３０は、図１に示すように、横向き姿勢に配置した場合に下縁構成部分３０ｂが室外側となる状態で上述の連結ベルト（不図示）によって互いに連結され、上述のブラインド部２３を構成している。上下のスラット３０の相互間隔は、図４の（ｄ）に示すように、主板部３０ａが上下方向に沿い、かつ下縁構成部分３０ｂが下方となる姿勢（以下、縦向き姿勢という）に配置した場合に、下方のスラット３０に設けた当接条片３０ｈが、上方のスラット３０に設けた気密材４０の当接ヒレ部４０ｃに当接可能となるように設定してある。
【００３５】
この外部ブラインド装置２０によれば、図１及び図４の（ａ）に示すように、横向き姿勢に配置した状態ですべてのスラット３０を上方に移動させれば、スラット３０が隙間なく積層された状態となり、窓装置１０の前面を室外側に開放することが可能となる。
【００３６】
一方、図４の（ｂ）や図４の（ｃ）に示すように、スラット３０を下方に移動させた状態で横向き姿勢や傾斜した姿勢に配置すれば、スラット３０の相互間に隙間が確保されるため、室内側への日射を制限した状態で室内外での通気を行うことができる。
【００３７】
さらに、この状態から図４の（ｄ）に示すように、スラット３０を縦向き姿勢に配置すれば、室外からの日射を遮ることができるとともに、室内外での通気をほぼ遮断することができる。すなわち、スラット３０を縦向き姿勢に配置した場合には、上述したように、下方のスラット３０に設けた当接条片３０ｈが、上方のスラット３０に設けた気密材４０の当接ヒレ部４０ｃに当接した状態となる。従って、室外の光が室内に漏れたり、室外と室内との間で空気が流通したりするのを防止することができるようになる。しかも、上下のスラット３０の間には、気密材４０が介在しているため、風雨によってスラット３０がバタ付いたとしても騒音が発生することはない。また、図４の（ａ）に示す状態にある場合にも、上下のスラット３０の間には気密材４０のみが介在する構成である。従って、図４の（ｂ）に示す状態からスラット３０を上方に移動させる際にも打音が発生する事態を招来するおそれはない。
【００３８】
さらに、上述の外部ブラインド装置２０によれば、図４の（ａ）〜図４の（ｄ）のいずれの状態のおいても、気密材４０よりも室外側となる部位に突出片３０ｅを含む下縁構成部分３０ｂが位置し、気密材４０が室外側に露出することがない。これにより、外部ブラインド装置２０の室外からの意匠性が損なわれる事態を防止することができるとともに、紫外線の影響による気密材４０の早期劣化を防止することができる。
【００３９】
なお、上述した実施の形態では、スラット３０が横向き姿勢に配置された場合に下方に向けて開口するように収容溝３０ｄを設けるようにしているため、横向き姿勢のスラット３０を積層する際に打音が発生する事態を防止することが可能となる。しかしながら、図５及び図６に示す変形例のように、スラット３０が横向き姿勢に配置された場合に室内（右側）に向けて開口するように収容溝１３０ｄを形成し、この収容溝１３０ｄの開口から室内に向けて気密材１４０を延在するように配設すれば、突出片３０ｅを設けることなく気密材１４０の室外側（左側）への露出を防止することが可能となる。
【００４０】
すなわち、変形例に示す外部ブラインド装置２０のスラット３０では、主板部３０ａの短手において室外側に位置する縁部から下方に向けて下縁構成部分１３０ｂが設けてあり、この下縁構成部分１３０ｂの室内に臨む部分に室内に開口するように収容溝１３０ｄが設けてある。より具体的に説明すると、変形例の収容溝１３０ｄは、下縁構成部分１３０ｂにおいて室内に臨む見付け面から室内に向けて上壁部１３０ｆ１及び下壁部１３０ｆ２を設けることによって構成してある。上壁部１３０ｆ１及び下壁部１３０ｆ２は、室内側の延在端部が互いに近接するように屈曲しており、収容溝１３０ｄの内部よりも狭い幅の開口を構成している。
【００４１】
収容溝１３０ｄに装着する気密材１４０は、装着部１４０ａ及び当接ヒレ部１４０ｃを有したもので、樹脂によって一体に成形してある。装着部１４０ａは、収容溝１３０ｄの内部に配置される収容体１４０ａ１と、収容体１４０ａ１の表面から突出した狭幅体１４０ａ２と、狭幅体１４０ａ２の突出端部に設けた挟持体１４０ａ３とを有したもので、挟持体１４０ａ３の表面に当接ヒレ部１４０ｃを有している。この変形例においても、いわゆる二色成形を適用し、比較的硬質の樹脂によって装着部１４０ａが成形してある一方、比較的軟質の樹脂によって当接ヒレ部１４０ｃが成形してある。なお、その他、実施の形態と同様の構成については同一の符号を付してそれぞれの詳細説明を省略している。
【００４２】
上記のように構成したスラット３０を備える外部ブラインド装置２０においても、図６の（ａ）に示すように、横向き姿勢に配置した状態ですべてのスラット３０を上方に移動させれば、スラット３０が隙間なく積層された状態となり、窓装置１０の前面を室外側に開放することが可能となる。
【００４３】
一方、図６の（ｂ）や図６の（ｃ）に示すように、スラット３０を下方に移動させた状態で横向き姿勢や傾斜した姿勢に配置すれば、スラット３０の相互間に隙間が確保されるため、室内側への日射を制限した状態で室内外での通気を行うことができる。
【００４４】
さらに、この状態から図６の（ｄ）に示すように、スラット３０を縦向き姿勢に配置すれば、室外からの日射を遮ることができるとともに、室内外での通気をほぼ遮断することができる。すなわち、スラット３０を縦向き姿勢に配置した場合には、下方のスラット３０に設けた当接条片３０ｈが、上方のスラット３０に設けた気密材１４０の当接ヒレ部１４０ｃに当接した状態となる。従って、室外の光が室内に漏れたり、室外と室内との間で空気が流通したりするのを防止することができるようになる。しかも、上下のスラット３０の間には、気密材１４０が介在しているため、風雨によってスラット３０がバタ付いたとしても騒音が発生することはない。
【００４５】
さらに、図６の（ａ）〜図６の（ｄ）のいずれの状態のおいても、気密材１４０よりも室外側となる部位に下縁構成部分１３０ｂが位置するため、気密材１４０が室外側に露出することがない。これにより、外部ブラインド装置２０の室外からの意匠性が損なわれる事態を防止することができるとともに、紫外線の影響による気密材１４０の早期劣化を防止することができる。
【００４６】
なお、上述した実施の形態及び変形例では、いずれも横向き姿勢においてスラット３０の上縁構成部分３０ｃが下縁構成部分３０ｂ，１３０ｂよりも下方に突出するように構成してあるため、気密材４０，１４０が室内側に露出することがなく、意匠性を向上させることができる。しかしながら、本発明はこれに限定されず、スラットの上縁構成部分が下縁構成部分よりも下方に突出している必要はない。また、スラット３０に当接条片３０ｈを設けるようにしているため、縦向き姿勢において上方に延在する気密材４０，１４０の当接ヒレ部４０ｃ，１４０ｃに対して接触面積を多く確保することができるが、スラットが必ずしも当接条片を有している必要はない。さらに、気密材４０，１４０として二色成形したものを適用しているが、必ずしもこれに限定されない。
【符号の説明】
【００４７】
２０  外部ブラインド装置、３０  スラット、３０ｂ，１３０ｂ  下縁構成部分、３０ｃ  上縁構成部分、３０ｄ，１３０ｄ  収容溝、３０ｅ  突出片、３０ｈ  当接条片、４０，１４０  気密材
【図１】
2018059341.tif 000003
【図２】
2018059341.tif 000004
【図３】
2018059341.tif 000005
【図４】
2018059341.tif 000006
【図５】
2018059341.tif 000007
【図６】
2018059341.tif 000008